(57)【要約】  【課題】  締付け用のビスに対する電源部品との絶縁性の確保を安価な構成で確実に行え、しかも安全面で優れたシャーシと上カバーとの組付け構造を提供する。  【解決手段】  絶縁壁板２３で隔離された電源部品１を搭載した金属板より成るシャーシ１０と、このシャーシ１０を覆う金属板より成る上カバー３０と、の電源部品１近傍で互いに重なる背面側板１３、３３同士が外部から金属製のビス７で締め付けられて組み付けられる。シャーシ１０の左側面側板１２から切り起こされ、ビス７の締め込まれる方向でのビス７の先端と絶縁壁板２３との間を仕切る仕切り片１２ａを備える。【選択図】      図８
0003110157.tif 000002
【実用新案登録請求の範囲】
【請求項１】
絶縁壁板で隔離された電源部品を搭載した金属板より成るシャーシと、このシャーシを
覆う金属板より成る上カバーと、の前記電源部品近傍で互いに重なる側板同士が外部から
金属製のビスで締め付けられて組み付けられるシャーシと上カバーとの組付け構造であっ
て、
前記電源部品が前記シャーシにおける背面となる背面側板、及び左右側面のうちの一側
面となる一側面側板の近傍に配置され、前記シャーシと前記上カバーとの前記一側面とな
る一側面側板同士が前記ビスで締め付けられるとともに、前記シャーシの前記一側面側板
に、前記ビスの締め込まれる方向での前記ビスの先端と前記絶縁壁板との間を仕切る仕切
り部材を設けたシャーシと上カバーとの組付け構造において、
前記ビスでの締付け個所を前記背面となる背面側板同士に変えるとともに、前記仕切り
部材を排除しており、
前記シャーシの前記一側面側板から切り起こされ、前記ビスの締め込まれる方向での前
記ビスの先端と前記絶縁壁板との間を仕切る仕切り片を備えたことを特徴とするシャーシ
と上カバーとの組付け構造。
【請求項２】
絶縁壁板で隔離された電源部品を搭載した金属板より成るシャーシと、このシャーシを
覆う金属板より成る上カバーと、の前記電源部品近傍で互いに重なる側板同士が外部から
金属製のビスで締め付けられて組み付けられるシャーシと上カバーとの組付け構造におい
て、
前記シャーシから切り起こされ、前記ビスの締め込まれる方向での前記ビスの先端と前
記絶縁壁板との間を仕切る仕切り片を備えたことを特徴とするシャーシと上カバーとの組
付け構造。
【請求項３】
前記電源部品が前記シャーシにおける背面となる背面側板、及び左右側面のうちの一側
面となる一側面側板の近傍に配置され、前記シャーシと前記上カバーとの前記背面となる
背面側板同士が前記ビスで締め付けられることを特徴とする請求項２に記載のシャーシと
上カバーとの組付け構造。
【請求項４】
前記仕切り片が前記シャーシの前記一側面側板から切り起こされて成ることを特徴とす
る請求項３に記載のシャーシと上カバーとの組付け構造。
【請求項５】
前記仕切り片が前記シャーシの前記背面側板から切り起こされた後その背面側板と平行
に折り曲げられて成ることを特徴とする請求項３に記載のシャーシと上カバーとの組付け
構造。
【請求項６】
前記電源部品が前記シャーシにおける背面となる背面側板、及び左右側面のうちの一側
面となる一側面側板の近傍に配置され、前記シャーシと前記上カバーとの前記一側面とな
る一側面側板同士が前記ビスで締め付けられることを特徴とする請求項２に記載のシャー
シと上カバーとの組付け構造。
【請求項７】
前記仕切り片が前記シャーシの前記背面側板から切り起こされて成ることを特徴とする
請求項６に記載のシャーシと上カバーとの組付け構造。
【請求項８】
前記仕切り片が前記シャーシの前記一側面側板から切り起こされた後その一側面側板と
平行に折り曲げられて成ることを特徴とする請求項６に記載のシャーシと上カバーとの組
付け構造。
【考案の詳細な説明】
【技術分野】
【０００１】
本考案は、ＤＶＤやビデオテープ等の記録・再生装置の外形を構成するシャーシと上カ
バーとの組付け構造に関し、特に、内蔵する電源部品近傍でのビスの締付けによる組付け
構造に関する。
【背景技術】
【０００２】
一般に、この種の記録・再生装置は、大きくは、共に金属板より成るシャーシとこれを
覆う上カバーとから外形が構成され、互いに重なり合う側板同士が外部から金属製のビス
で締め付けられて組み付けられる。そのシャーシ上には、高電圧となる電源部品、例えば
ラインフィルタやコンデンサ等が搭載されており、この電源部品と、シャーシ、ビス、ひ
いては上カバーとの絶縁性の確保が安全面で欠かせない。電源部品からの不用意な漏電に
よる感電を防止するためである。
【０００３】
通常、電源部品は、記録・再生装置の背面側の隅部に配置、すなわち、シャーシにおけ
る背面となる背面側板、及び左右側面のうちの一側面側、例えば左側面となる左側面側板
の近傍に配置されており、シャーシそのものに対しての絶縁性は、絶縁ケースに電源部品
を収めることで確保される。つまり、電源部品が載置されるシャーシの底板とは、絶縁ケ
ースの底板を介在することで絶縁状態が確保され、近傍の背面側板や左側面側板とは、絶
縁ケースの壁板（以下、「絶縁壁板」と記すことがある）を介在して電源部品を隔離する
ことで絶縁状態が確保される。
【０００４】
一方、電源部品近傍でのビスに対しての絶縁性の確保については、設計仕様上で更なる
制約が付加される。つまり、仮に予定外の長いビスが使用された場合に、そのビスの先端
が絶縁壁板を貫通してそのまま電源部品まで達してしまうことを確実に防止するという安
全面での設計仕様が要求される。そのビスの締付けによる従来のシャーシと上カバーとの
組付け構造を図１３〜図１６に示す。図１３は上カバー組付け前の要部側面図、図１４は
上カバー組付け後の要部側面図、図１５は図１３のＸ−Ｘ断面図、図１６は図１４のＹ−
Ｙ断面図である。
【０００５】
図１３〜図１６に示すように、従来一般の組付け構造では、シャーシ１１０における背
面となる背面側板１１３、及び左右側面のうちの左側面となる左側面側板１１２の近傍に
、電源部品１０１が配置されている。この電源部品１０１は、合成樹脂より成る絶縁ケー
ス１２０内に載置されてシャーシ１１０上に取り付けられており、シャーシ１１０の背面
側板１１３に対しては、その絶縁ケース１２０の背面側の絶縁壁板１２３によって隔離さ
れ、シャーシ１１０の左側面側板１１２に対しては、その絶縁ケース１２０の左側面側の
絶縁壁板１２２によって隔離されている。また、シャーシ１１０の左側面側板１１２には
、ビス１０７を受け入れるネジ穴１１７が形成されている。
【０００６】
このようなシャーシ１１０には、上カバー１３０が被せられ、シャーシ１１０の背面側
板１１３の外側に、上カバー１３０の背面となる背面側板１３３が重なり、シャーシ１１
０の左側面側板１１２の外側に、上カバー１３０の左側面となる左側面側板１３２が重な
った状態になる。そして、上カバー１３０の左側面側板１３２に形成された貫通穴を通じ
てビス１０７が外部から挿入され、シャーシ１１０の左側面側板１１２のネジ穴１１７に
ねじ込まれる。こうして、シャーシ１１０と上カバー１３０とは、電源部品１０１近傍で
互いに重なる左側面側板１１２、１３２がビス１０７で締め付けられ、組み付けられる。
【０００７】
ここで、安全面で要求されるビス１０７に対しての絶縁性の確保に関して、シャーシ１
１０の左側面側板１１２の内側には、ビス１０７の締め込まれる方向でのビス１０７の先
端と、絶縁ケース１２０の左側面側の絶縁壁板１２２と、の間を仕切る断面コの字状の仕
切り部材１４０が、ビス止めや溶接等で取り付けられている。その仕切り部材１４０によ
り、ビス１０７と絶縁壁板１２２とが完全に遮断され、その絶縁壁板１２２の内側に収め
られた電源部品１０１との絶縁状態が確実に確保される。その上、予定外の長いビス１０
７が使用されたとしても、そのビス１０７の先端が仕切り部材１４０と干渉してそれ以上
進入できないため、確実に電源部品１０１との絶縁状態を確保することが可能になる。
【０００８】
なお、ビス１０７に対しての絶縁性の確保に関しては、例えば特許文献１では、ビス１
０７の先端と電源部品１０１との間に絶縁壁板１２２が存在するものの、上記したような
仕切り部材１４０が特に存在するわけではない。そのため、長いビス１０７が使用された
場合に、そのビス１０７の先端が絶縁壁板１２２を貫通して電源部品１０１まで達する状
況も否めず、安全面で十分とは言えない。
【特許文献１】特開２０００−５９０５０号公報
【考案の開示】
【考案が解決しようとする課題】
【０００９】
しかし、上記したようなビス１０７での締付けによるシャーシ１１０と上カバー１３０
との組付け構造では、ビス１０７に対しての絶縁性を安全に確保するために、予定外の長
いビス１０７の進入を防止する仕切り部材１４０が別部品として必要であることから、コ
スト的に不利である。しかも、その仕切り部材１４０のシャーシ１１０への煩雑な取付け
作業が強いられるという問題もある。
【００１０】
そこで本考案は、上記の問題に鑑みてなされたものであり、締付け用のビスに対する電
源部品との絶縁性の確保を安価な構成で確実に行え、しかも安全面で優れたシャーシと上
カバーとの組付け構造を提供することを目的とするものである。
【課題を解決するための手段】
【００１１】
上記目的を達成するため、本考案は、絶縁壁板で隔離された電源部品を搭載した金属板
より成るシャーシと、このシャーシを覆う金属板より成る上カバーと、の前記電源部品近
傍で互いに重なる側板同士が外部から金属製のビスで締め付けられて組み付けられるシャ
ーシと上カバーとの組付け構造であって、前記電源部品が前記シャーシにおける背面とな
る背面側板、及び左右側面のうちの一側面となる一側面側板の近傍に配置され、前記シャ
ーシと前記上カバーとの前記一側面となる一側面側板同士が前記ビスで締め付けられると
ともに、前記シャーシの前記一側面側板に、前記ビスの締め込まれる方向での前記ビスの
先端と前記絶縁壁板との間を仕切る仕切り部材を設けたシャーシと上カバーとの組付け構
造において、次の点を特徴とする。前記ビスでの締付け個所を前記背面となる背面側板同
士に変えるとともに、前記仕切り部材を排除しており、前記シャーシの前記一側面側板か
ら切り起こされ、前記ビスの締め込まれる方向での前記ビスの先端と前記絶縁壁板との間
を仕切る仕切り片を備えている。
【００１２】
このような構成にすると、シャーシから切り起こされた仕切り片により、ビスと絶縁壁
板とが完全に遮断され、その絶縁壁板の内側に収められた電源部品との絶縁状態が確実に
確保される。その上、予定外の長いビスが使用されたとしても、そのビスの先端が仕切り
片と干渉してそれ以上進入できないため、ビスの先端が絶縁壁板を貫通してそのまま電源
部品まで達してしまうこともなく、確実に電源部品との絶縁状態を確保することが可能に
なる。しかも、その仕切り片は、シャーシの成形時に一体に形成できるため、別部品を要
せず安価に得ることができる。更に、ビスでの締付け個所が背面側であるため、外観に優
れたものとなる。
【００１３】
また、上記目的を達成するための本考案は、絶縁壁板で隔離された電源部品を搭載した
金属板より成るシャーシと、このシャーシを覆う金属板より成る上カバーと、の前記電源
部品近傍で互いに重なる側板同士が外部から金属製のビスで締め付けられて組み付けられ
るシャーシと上カバーとの組付け構造において、前記シャーシから切り起こされ、前記ビ
スの締め込まれる方向での前記ビスの先端と前記絶縁壁板との間を仕切る仕切り片を備え
ている。
【００１４】
このような構成にすると、シャーシから切り起こされた仕切り片により、ビスと絶縁壁
板とが完全に遮断され、その絶縁壁板の内側に収められた電源部品との絶縁状態が確実に
確保される。その上、予定外の長いビスが使用されたとしても、そのビスの先端が仕切り
片と干渉してそれ以上進入できないため、ビスの先端が絶縁壁板を貫通してそのまま電源
部品まで達してしまうこともなく、確実に電源部品との絶縁状態を確保することが可能に
なる。しかも、その仕切り片は、シャーシの成形時に一体に形成できるため、別部品とし
の要せず安価に得ることができる。
【００１５】
ここで、実用性を踏まえつつ外観に配慮すれば、前記電源部品が前記シャーシにおける
背面となる背面側板、及び左右側面のうちの一側面となる一側面側板の近傍に配置され、
前記シャーシと前記上カバーとの前記背面となる背面側板同士が前記ビスで締め付けられ
ることが好ましい。この場合、前記仕切り片が前記シャーシの前記一側面側板から切り起
こされて成ってもよいし、前記仕切り片が前記シャーシの前記背面側板から切り起こされ
た後その背面側板と平行に折り曲げられて成ってもよい。
【００１６】
同様に、実用性を踏まえれば、前記電源部品が前記シャーシにおける背面となる背面側
板、及び左右側面のうちの一側面となる一側面側板の近傍に配置され、前記シャーシと前
記上カバーとの前記一側面となる一側面側板同士が前記ビスで締め付けられることが好ま
しい。この場合、前記仕切り片が前記シャーシの前記背面側板から切り起こされて成って
もよいし、前記仕切り片が前記シャーシの前記一側面側板から切り起こされた後その一側
面側板と平行に折り曲げられて成ってもよい。
【考案の効果】
【００１７】
本考案のシャーシと上カバーとの組付け構造によれば、シャーシと一体に安価に形成さ
れた仕切り片により、締付け用のビスに対する電源部品との絶縁状態を確実に確保するこ
とができる。しかも、長いビスであっても確実に電源部品との絶縁状態を確保できるため
、安全面で優れたものとなる。
【考案を実施するための最良の形態】
【００１８】
以下に、本考案の実施形態について図面を参照しながら詳述する。先ず、本考案の第１
実施形態であるシャーシと上カバーとの組付け構造について説明する。図１は本考案の各
実施形態に共通の記録・再生装置の外観を示す斜視図、図２はその記録・再生装置の上カ
バーを外した状態を示す斜視図、図３はその記録・再生装置の分解斜視図、図４はその記
録・再生装置における電源部品が搭載された回路基板の平面図である。また、図５〜図８
は第１実施形態のビスの締付けによるシャーシと上カバーとの組付け構造を示す図であっ
て、図５は上カバー組付け前の要部側面図、図６は図５と同じ部分を示した上カバー組付
け後の要部側面図、図７は図５のＡ−Ａ断面図、図８は図７と同じ断面に相当する図６の
Ｂ−Ｂ断面図である。
【００１９】
図１〜図４に示すように、記録・再生装置の外形は、シャーシ１０と、このシャーシ１
０の背面を覆う背面シャーシ４０と、これらを上方から覆う上カバー３０とから構成され
る。これらシャーシ１０、背面シャーシ４０及び上カバー３０は、何れも金属板より成形
されて成るものである。
【００２０】
シャーシ１０は、種々の電源部品１を含め記録・再生装置に必要な様々な部品が載置さ
れる底板１１と、この底板１１の左側縁から上方へ向けて折り曲げられて左側面となる左
側面側板１２と、この左側面側板１２の背面側の縁から折り曲げられ背面の一部となる左
側面側の背面側板１３と、底板１１の右側縁から上方へ向けて折り曲げられて右側面とな
る右側面側板１４と、この右側面側板１４の背面側の縁から折り曲げられ背面の一部とな
る右側面側の背面側板１５とを有する。
【００２１】
同様に、上カバー３０は、シャーシ１０の底板１１とほぼ同形の上板３１と、この上板
３１の左側縁から下方へ向けて折り曲げられて左側面となる左側面側板３２と、この左側
面側板３２の背面側の縁から折り曲げられ背面の一部となる左側面側の背面側板３３（図
１〜図４では不図示につき、図７及び図８参照）と、上板３１の右側縁から下方へ向けて
折り曲げられて右側面となる右側面側板３４と、この右側面側板３４の背面側の縁から折
り曲げられ背面の一部となる右側面側の背面側板３５（不図示）とを有する。
【００２２】
シャーシ１０の底板１１上には、背面側板１３及び左側面側板１２の近傍に、特に高電
圧となるラインフィルタ２やコンデンサ３等の電源部品１が配置されている。但しここで
は、回路基板５０上に電源部品１が実装されており、その回路基板５０が合成樹脂より成
る絶縁ケース２０内に載置された状態で、シャーシ１０の底板１１上に取り付けられてい
る。なお、回路基板５０上には、トランス４も実装され、放熱板５も立設されている（図
１及び図４参照）。また、絶縁ケース２０は、回路基板５０が載置される底板２１と、こ
の底板２１の左側縁から上方へ向けて折り曲げられた左側面側の絶縁壁板２２と、底板２
１の背面側の縁から上方へ向けて折り曲げられた背面側の絶縁壁板２３とを有する。
【００２３】
このような構成のもと、電源部品１は、シャーシ１０の底板１１に対しては、絶縁ケー
ス２０の底板２１の介在によって絶縁状態が確保される。シャーシ１０の背面側板１３に
対しては、絶縁ケース２０の背面側の絶縁壁板２３の介在によって隔離され、これにより
絶縁状態が確保される。シャーシ１０の左側面側板１２に対しては、絶縁ケース２０の左
側面側の絶縁壁板２２の介在によって隔離され、これにより絶縁状態が確保される。
【００２４】
このようなシャーシ１０に、背面側から背面シャーシ４０が被せられるとともに、上カ
バー３０が上方から被せられ、互いに重なり合う側板同士がビス７、８で締め付けられて
組み付けられる。
【００２５】
その際、電源部品１近傍でのビス７による締付け状況に関しては、図５〜図８に示すよ
うに、シャーシ１０の背面側板１３の外側に、上カバー３０の背面側板３３が重なり、シ
ャーシ１０の左側面側板１２の外側に、上カバー３０の左側面側板３２が重なった状態に
なる。なお、図５〜図８中では背面シャーシ４０の図示を省略しているが、実際には、互
いに重なるシャーシ１０と上カバー３０の各背面側板１３、３３の間に背面シャーシ４０
が挟み込まれている。そして、上カバー３０の背面側板３３に形成された貫通穴を通じて
ビス７が外部から挿入され、シャーシ１０の背面側板１３に形成されたネジ穴１７にねじ
込まれる。こうして、シャーシ１０と上カバー３０とは、電源部品１近傍で互いに重なる
背面側板１３、３３がビス７で締め付けられ、組み付けられる。
【００２６】
ここで、シャーシ１０の左側面側板１２からは、ビス７の締め込まれる方向でのビス７
の先端と、絶縁ケース２０の背面側の絶縁壁板２３と、の間を仕切る仕切り片１２ａが切
り起こされている。その仕切り片１２ａにより、ビス７と絶縁壁板２３とが完全に遮断さ
れ、その絶縁壁板２３の内側に収められた電源部品１との絶縁状態が確実に確保される。
その上、予定外の長いビス７が使用されたとしても、そのビス７の先端が仕切り片１２ａ
と干渉してそれ以上進入できないため、ビス７の先端が絶縁壁板２３を貫通してそのまま
電源部品１まで達してしまうこともなく、確実に電源部品１との絶縁状態を確保すること
が可能になる。しかも、その仕切り片１２ａは、シャーシ１０の成形時に単に切り起こす
ことで簡単に一体に形成できるため、従来の仕切り部材１４０のような別部品を要せず安
価に得ることができる。
【００２７】
従って、本実施形態の組付け構造では、シャーシ１０と一体に安価に形成された仕切り
片１２ａにより、締付け用のビス７に対する電源部品７との絶縁状態を確実に確保するこ
とができる。しかも、長いビス７であっても確実に電源部品１との絶縁状態を確保できる
ため、安全面で優れたものとなる。更に、本実施形態ではビス７での締付け個所が背面側
であるため、外観に優れたものとなる。
【００２８】
次に、本考案の第２実施形態について、図９〜図１２を参照しながら説明する。図９〜
図１２は第２実施形態のビスの締付けによるシャーシと上カバーとの組付け構造を示す図
であって、図９は上カバー組付け前の要部側面図、図１０は図９と同じ部分を示した上カ
バー組付け後の要部側面図、図１１は図９のＣ−Ｃ断面図、図１２は図１１と同じ断面に
相当する図１０のＤ−Ｄ断面図である。なお、これらの図中で、図１〜図８と同じ名称で
同じ機能を果たす部分には同一の符号を付し、重複する説明は省略する。
【００２９】
本第２実施形態の特徴は、第１実施形態における電源部品１近傍でのビス７による締付
け個所を変更するとともに、ビス７に対しての絶縁性を安全に確保するための仕切り片の
切起こし態様を変更した点にある。
【００３０】
つまり本実施形態では、図９〜図１２に示すように、電源部品１近傍で互いに重なるシ
ャーシ１０と上カバー３０の各左側面側板１２、３２同士をビス７で締め付けている。ま
た、ビス７による締付けがなされるシャーシ１０の左側面側板１２には、この左側面側板
１２から内側に向けて切り起こされた後その左側面側板１２と平行に折り曲げられた仕切
り片１２ａが形成されており、この仕切り片１２ａは、ビス７の締め込まれる方向でのビ
ス７の先端と、絶縁ケース２０の左側面側の絶縁壁板２２と、の間を仕切っている。その
仕切り片１２ａにより、ビス７と絶縁壁板２２とが完全に遮断され、その絶縁壁板２２の
内側に収められた電源部品１との絶縁状態が確実に確保される。従って、上記した第１実
施形態と同様の効果を奏することができる。
【００３１】
その他本考案は上記の各実施形態に限定されず、本考案の趣旨を逸脱しない範囲で、種
々の変更が可能である。例えば、上記の第１実施形態では、ビス７による締付けがなされ
るシャーシ１０の背面側板１３と異なる左側面側板１２から仕切り片１２ａを切り起こし
ているが、上記の第２実施形態と同様に、ビス７による締付けがなされるシャーシ１０の
背面側板１３から切り起こしても構わない。同様の観点から、上記の第２実施形態では、
ビス７による締付けがなされるシャーシ１０の左側面側板１２から仕切り片１２ａを切り
起こしているが、上記の第１実施形態と同様に、ビス７による締付けがなされるシャーシ
１０の左側面側板１２と異なる背面側板１３から切り起こしても構わない。勿論、シャー
シ１０の底板１１から切り起こすことも可能である。
【００３２】
また、上記の各実施形態では、電源部品１がシャーシ１０における背面側板１３及び左
側面側板１２の近傍に配置された態様について示しているが、これとは左右逆の背面側板
１５及び右側面側板１４の近傍に電源部品１が配置されて態様においても適用が可能であ
る。その場合、ビス７による締付け個所は、電源部品１近傍で互いに重なるシャーシ１０
と上カバー３０の各背面側板１５、３５同士や各右側面側板１４、３４同士となり、仕切
り片の形成個所は、シャーシ１０の右側面側板１４や背面側板１５となる。
【産業上の利用可能性】
【００３３】
本考案は、ＤＶＤやビデオテープ等の記録・再生装置に有用である。
【図面の簡単な説明】
【００３４】
【図１】本考案の各実施形態に共通の記録・再生装置の外観を示す斜視図である。
【図２】図１の記録・再生装置の上カバーを外した状態を示す斜視図である。
【図３】図１の記録・再生装置の分解斜視図である。
【図４】図１の記録・再生装置における電源部品が搭載された回路基板の平面図である。
【図５】本考案の第１実施形態のビスの締付けによるシャーシと上カバーとの組付け構造を示す図であって、上カバー組付け前の要部側面図である。
【図６】図５と同じ部分を示した上カバー組付け後の要部側面図である。
【図７】図５のＡ−Ａ断面図である。
【図８】図７と同じ断面に相当する図６のＢ−Ｂ断面図である。
【図９】本考案の第２実施形態のビスの締付けによるシャーシと上カバーとの組付け構造を示す図であって、上カバー組付け前の要部側面図である。
【図１０】図９と同じ部分を示した上カバー組付け後の要部側面図である。
【図１１】図９のＣ−Ｃ断面図である。
【図１２】図１１と同じ断面に相当する図１０のＤ−Ｄ断面図である。
【図１３】従来のビスの締付けによるシャーシと上カバーとの組付け構造を示す図であって、上カバー組付け前の要部側面図である。
【図１４】図１３と同じ部分を示した上カバー組付け後の要部側面図である。
【図１５】図１３のＸ−Ｘ断面図である。
【図１６】図１５と同じ断面に相当する図１４のＹ−Ｙ断面図である。
【符号の説明】
【００３５】
１    電源部品
２    ラインフィルタ（電源部品）
３    コンデンサ（電源部品）
７    ビス
１０    シャーシ
１１    シャーシの底板
１２    シャーシの左側面側板
１２ａ    仕切り片
１３    シャーシの左側面側の背面側板
１４    シャーシの右側面側板
１５    シャーシの右側面側の背面側板
１７    ネジ穴
２０    絶縁ケース
２１    絶縁ケースの底板
２２    絶縁ケースの左側面側の絶縁壁板
２３    絶縁ケースの背面側の絶縁壁板
３０    上カバー
３１    上カバーの上板
３２    上カバーの左側面側板
３３    上カバーの左側面側の背面側板
３４    上カバーの右側面側板
３５    上カバーの右側面側の背面側板
４０    背面シャーシ
５０    回路基板
【図１】
0003110157.tif 000003
【図２】
0003110157.tif 000004
【図３】
0003110157.tif 000005
【図４】
0003110157.tif 000006
【図５】
0003110157.tif 000007
【図６】
0003110157.tif 000008
【図７】
0003110157.tif 000009
【図８】
0003110157.tif 000010
【図９】
0003110157.tif 000011
【図１０】
0003110157.tif 000012
【図１１】
0003110157.tif 000013
【図１２】
0003110157.tif 000014
【図１３】
0003110157.tif 000015
【図１４】
0003110157.tif 000016
【図１５】
0003110157.tif 000017
【図１６】
0003110157.tif 000018